(57)【要約】【課題】電源オン状態になるときに、ユーザの意図に合ったモードになるようにする。【解決手段】カメラ１００は、ＯＶＦモード（光学ファインダモード）と、ＬＶモード（ライブビューモード）とを切り替えることができ、また、ＬＶ撮影専用の撮影機能としてフォーカスブラケット（ＦＢＫ）撮影機能を有する。システム制御部５０は、ＬＶモードでＦＢＫ撮影を行う設定にした状態で、電源オフ操作により電源オフ状態になる場合、その後に電源オン状態になるときに、ＯＶＦモードになるのに対して、ＬＶモードでＦＢＫ撮影を行う設定にした状態で、オートパワーオフにより待機状態になった場合、その後に電源オン状態になるときに、ＬＶモードになるように制御する。【選択図】図２
2020182192.tif 000002
【特許請求の範囲】
【請求項１】
光学ファインダモードとライブビューモードとを切り替える撮像装置であって、
ライブビューモードで特定の撮影を行う設定にした特定状態で、電源オフ操作により電源オフ状態になる場合、その後に電源オン状態になるとき、光学ファインダモードになり、
前記特定状態で、オートパワーオフにより待機状態になる場合、その後に電源オン状態になるときに、ライブビューモードになるように制御する制御手段を備えたことを特徴とする撮像装置。
【請求項２】
前記特定の撮影は、フォーカスブラケット撮影であることを特徴とする請求項１に記載の撮像装置。
【請求項３】
前記制御手段は、前記特定状態で電源オフ操作により電源オフ状態になるとき、及び、その後に電源オン状態になるときの少なくともいずれか一方のタイミングで、前記特定の撮影を行う設定を解除することを特徴とする請求項１又は２に記載の撮像装置。
【請求項４】
前記制御手段は、前記特定状態でオートパワーオフにより待機状態になるとき、前記特定の撮影を行う設定を維持することを特徴とする請求項１乃至３のいずれか１項に記載の撮像装置。
【請求項５】
電源オフ操作は、所定の操作部材の電源オフ操作であり、前記所定の操作部材の電源オン操作により電源オン状態になることを特徴とする請求項１乃至４のいずれか１項に記載の撮像装置。
【請求項６】
オートパワーオフにより待機状態になる場合、前記所定の操作部材以外の操作部材の操作により電源オン状態になることを特徴とする請求項５に記載の撮像装置。
【請求項７】
光学ファインダモードとライブビューモードとを切り替える撮像装置を制御する撮像装置の制御方法であって、
ライブビューモードで特定の撮影を行う設定にした特定状態で、電源オフ操作により電源オフ状態になる場合、その後に電源オン状態になるときに、光学ファインダモードになり、
前記特定状態で、オートパワーオフにより待機状態になる場合、その後に電源オン状態になるときに、ライブビューモードになるように制御するステップを有することを特徴とする撮像装置の制御方法。
【請求項８】
コンピュータを、請求項１乃至６のいずれか１項に記載された撮像装置の各手段として機能させるためのプログラム。
【請求項９】
コンピュータを、請求項１乃至６のいずれか１項に記載された撮像装置の各手段として機能させるためのプログラムを格納したコンピュータが読み取り可能な記憶媒体。
【発明の詳細な説明】
【技術分野】
【０００１】
本発明は、光学ファインダモードとライブビューモードとを切り替える撮像装置、その制御方法、プログラム及び記憶媒体に関する。
【背景技術】
【０００２】
デジタルカメラ等の撮像装置において、光学ファインダモード（以下、ＯＶＦモードと称する）と、ライブビューモード（以下、ＬＶモードと称する）とを切り替えることのできる機種がある（例えば特許文献１を参照）。
また、撮像装置において、消費電力を削減するために、オートパワーオフ機能を有する機種がある。オートパワーオフ機能では、無操作時間が一定時間以上発生することにより、待機状態に遷移する。
このような撮像装置では、無操作時間が一定時間以上発生してオートパワーオフにより待機状態になると、ミラーダウンが発生して、復帰時にはＯＶＦモードになるのが一般的である。
【０００３】
特許文献２には、設定時間が第１の時間以下の設定でオートパワーオフが行われた場合、オートパワーオフが行われた時の第１の作業の状態を、電子機器が次に電源オン状態になった時に引き継ぐようにすることが開示されている。
また、特許文献３には、カメラの電源がＯＦＦにされた後、再び電源をＯＮにした場合、電源ＯＦＦ前の状態に復帰することが開示されている。例えばＬＶモードでカメラの電源を切ると、ＯＶＦモードに移行した後に実際に電源がＯＦＦになり、その後、再びカメラの電源が投入されると、ＬＶモードに設定された後、動作を続けることが開示されている。
【先行技術文献】
【特許文献】
【０００４】
【特許文献１】特開２００６−１６３０９４号公報
【特許文献２】特開２０１８−９１９７１号公報
【特許文献３】特開２０１０−１６８９４号公報
【発明の概要】
【発明が解決しようとする課題】
【０００５】
ここで、電源オフ操作により電源オフ状態になる状況は、ユーザの明示的な意思によるものであるのに対して、オートパワーオフにより待機状態になる状況は、必ずしもユーザの明示的に意思によるものではない。そのため、電源オフ操作により電源オフ状態になる場合と、オートパワーオフにより待機状態になる場合とで、その後に電源オン状態になるとき、ユーザの意図に合ったモードが同じとは限らず、挙動を異ならせるのが好適な場合もある。
特許文献２、３では、オートパワーオフ時の作業の状態を引き継いだり、電源ＯＦＦ前の状態に復帰したりすることが開示されているが、電源オフ操作により電源オフ状態になる場合と、オートパワーオフにより待機状態になる場合とで、その後に電源オン状態になるときの挙動を異ならせるものではない。
【０００６】
本発明は上記のような点に鑑みてなされたものであり、電源オン状態になるときに、ユーザの意図に合ったモードになるようにすることを目的とする。
【課題を解決するための手段】
【０００７】
本発明の撮像装置は、光学ファインダモードとライブビューモードとを切り替える撮像装置であって、ライブビューモードで特定の撮影を行う設定にした特定状態で、電源オフ操作により電源オフ状態になる場合、その後に電源オン状態になるとき、光学ファインダモードになり、前記特定状態で、オートパワーオフにより待機状態になる場合、その後に電源オン状態になるときに、ライブビューモードになるように制御する制御手段を備えたことを特徴とする。
【発明の効果】
【０００８】
本発明によれば、電源オン状態になるときに、ユーザの意図に合ったモードにすることができる。
【図面の簡単な説明】
【０００９】
【図１】実施形態に係るデジタル一眼レフカメラの外観を示す図である。
【図２】実施形態に係るデジタル一眼レフカメラの構成例を示すブロック図である。
【図３】実施形態に係るデジタル一眼レフカメラの起動から電源オフまでの処理を示すフローチャートである。
【図４】起動中動作の詳細を説明するためのフローチャートである。
【図５】撮影設定画面の例を示す図である。
【発明を実施するための形態】
【００１０】
以下、添付図面を参照して、本発明の好適な実施形態について説明する。
図１、図２を参照して、撮像装置の一例であるデジタル一眼レフカメラ（以下、カメラと称する）１００を説明する。
図１（ａ）は、カメラ１００の正面斜視図であり、図１（ｂ）は、カメラ１００の背面斜視図である。また、図２は、カメラ１００の構成例を示すブロック図である。
【００１１】
まず、図１を参照して、カメラ１００の構成を説明する。
カメラ１００には、図２のレンズユニット１５０が装着可能である。レンズユニット１５０を装着するためのマウント部には、カメラ１００がレンズユニット１５０と通信を行うための通信端子１０が配置される。
カメラ１００の内部には、クイックリターンミラー１２（以下、ミラー１２と称する）が設けられる。ミラー１２は、図２のシステム制御部５０の制御下で、不図示のアクチュエータによりアップダウンされる。
カメラ１００の正面の片側には、ユーザがカメラ１００を構えた際に右手で握りやすい形状としたグリップ部９０が配置される。また、カメラ１００の上部には、閃光装置であるフラッシュ１９が配置される。
【００１２】
カメラ１００の背面には、バリアングルモニタ２６が配置される。バリアングルモニタ２６は、画像や各種情報を表示する表示部２８が配置された筐体であり、ヒンジ部２７を介してカメラ１００に回動可能に接続される。
カメラ１００の背面の上部には、接眼ファインダ１６が配置される。接眼ファインダ１６は、レンズユニット１５０を通して得た被写体の光学像の焦点や構図の確認を行うための覗き込み型のファインダである。
【００１３】
カメラ１００には、モード切り替えスイッチ６０、シャッターボタン６１、電源スイッチ７２が配置される。モード切り替えスイッチ６０は、各種モードを切り替えるのに用いられる。シャッターボタン６１は、撮影操作を行うのに用いられる。電源スイッチ７２は、カメラ１００の電源のオン及びオフを切り替えるのに用いられる。
【００１４】
また、カメラ１００には、メイン電子ダイヤル７１、サブ電子ダイヤル７３、十字キー７４、ＳＥＴボタン７５、ＬＶ（ライブビュー）ボタン７６、拡大ボタン７７、再生ボタン７８、ＭＥＮＵボタン７９が配置される。メイン電子ダイヤル７１は、回転操作部材であり、シャッター速度や絞り等の設定値の変更等に用いられる。サブ電子ダイヤル７３は、回転操作部材であり、選択枠の移動や画像送り等に用いられる。十字キー７４は、上、下、左、右部分をそれぞれ押し込み可能な十字キーであり、押した部分に応じた操作が可能である。ＳＥＴボタン７５は、押しボタンであり、主に選択項目の決定等に用いられる。ＬＶボタン７６は、静止画撮影モードにおいてＬＶのオン及びオフを切り替えるのに用いられる。動画撮影モードにおいては、動画撮影（記録）の開始、停止の指示に用いられる。拡大ボタン７７は、撮影モードのＬＶ表示において拡大モードのオン及びオフ、及び拡大モード中の拡大率の変更を行うのに用いられる。再生モードにおいては再生画像を拡大し、拡大率を増加させるための拡大ボタンとして機能する。再生ボタン７８は、撮影モード及び再生モードを切り替えるのに用いられる。撮影モード中に再生ボタン７８を押すことで再生モードに移行し、記録媒体２００に記録された画像のうち最新の画像を表示部２８に表示させることができる。ＭＥＮＵボタン７９は、撮影モード及びメニューモードを切り替えるのに用いられる。
【００１５】
カメラ１００は、図２のメモリカード等の記録媒体２００を格納するスロットを有し、スロットは蓋２０２で閉じられる。
カメラ１００は、外部機器との接続ケーブルと接続するコネクタを有し、コネクタは端子カバー４０により保護される。
【００１６】
次に、図２を参照して、カメラ１００の構成を説明する。
レンズユニット１５０において、絞り１０２及びレンズ１０３が搭載される。レンズ１０３は通常、複数枚のレンズから構成されるが、ここでは簡略して一枚のレンズのように示す。通信端子６は、カメラ１００の通信端子１０と接触して、レンズユニット１５０がカメラ１００と通信を行うための通信端子である。レンズユニット１５０は、通信端子６、１０を介してシステム制御部５０と通信し、レンズシステム制御回路４の制御下、絞り駆動回路２を介して絞り１０２の制御を行い、ＡＦ駆動回路３を介してレンズ１０３の位置を変位させることで焦点を合わせる。発光制御部５は、発光体７を制御し、発光体７の発光タイミング、発光量の調整を行う。発光体７は、ＬＥＤ発光タイプ、閃光発光タイプ等いずれのものでもよい。
【００１７】
カメラ１００において、ＡＥセンサー１７は、レンズユニット１５０を通した被写体の輝度を測光する。焦点検出部１１は、システム制御部５０にデフォーカス量情報を出力する。システム制御部５０は、それに基づいてレンズユニット１５０を制御し、位相差ＡＦを行う。
ミラー１２は、露光、ライブビュー撮影、動画撮影の際に、システム制御部５０の制御下で、不図示のアクチュエータによりアップダウンされる。ミラー１２は、レンズ１０３から入射した光束をファインダ１６側と撮像部２２側とに切替える。ミラー１２は、通常時はファインダ１６に光束を導くよう反射させるように配されているが（ミラーダウン）、撮影が行われる場合やＬＶ表示の場合には、撮像部２２に光束を導くように上方に跳ね上がり光束中から待避する（ミラーアップ）。また、ミラー１２は、その中央部が光の一部を透過できるようにハーフミラーとなっており、光束の一部を、焦点検出を行うための焦点検出部１１に入射するように透過させる。撮影者は、ペンタプリズム１４とファインダ１６を介して、フォーカシングスクリーン１３を観察することで、レンズユニット１５０を通して得た被写体の光学像の焦点や構図を確認することができる。
【００１８】
フォーカルプレーンシャッター１０１は、システム制御部５０の制御下で、撮像部２２の露光時間を制御する。撮像部２２は、光学像を電気信号に変換するＣＣＤやＣＭＯＳ素子等で構成される撮像素子である。Ａ／Ｄ変換器２３は、撮像部２２から出力されるアナログ信号をデジタル信号に変換する。
画像処理部２４は、Ａ／Ｄ変換器２３からのデータ、又は、メモリ制御部１５からのデータに対し所定の画素補間、縮小といったリサイズ処理や色変換処理を行う。また、画像処理部２４は、撮像した画像データを用いて所定の演算処理を行い、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。また、画像処理部２４は、撮像した画像データを用いて所定の演算処理を行い、得られた演算結果に基づいてＴＴＬ方式のＡＷＢ（オートホワイトバランス）処理も行う。
【００１９】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像及び音声を格納するのに十分な記憶容量を備える。また、メモリ３２は、画像表示用のメモリ（ビデオメモリ）を兼ねる。Ｄ／Ａ変換器２５は、メモリ３２に格納されている画像表示用のデータをアナログ信号に変換して表示部２８に供給する。こうして、メモリ３２に書き込まれた表示用の画像データはＤ／Ａ変換器２５を介して表示部２８により表示される。
表示部２８は、ＬＣＤ等の表示器上に、Ｄ／Ａ変換器２５からのアナログ信号に応じた表示を行う。Ａ／Ｄ変換器２３によって一度Ａ／Ｄ変換されメモリ３２に蓄積されたデジタル信号をＤ／Ａ変換器２５においてアナログ変換し、表示部２８に逐次転送して表示することで、電子ビューファインダとして機能し、ＬＶ表示（スルー画表示）が行われる。
【００２０】
不揮発性メモリ５６は、電気的に消去・記録可能なメモリであり、例えばＥＥＰＲＯＭ等が用いられる。不揮発性メモリ５６は、システム制御部５０の動作用の定数、プログラム等を記憶する。ここでいう、プログラムとは、本実施形態にて後述するフローチャートを実行するためのプログラムのことである。
システム制御部５０は、カメラ１００全体を制御する。システム制御部５０が、不揮発性メモリ５６に記憶されたプログラムを実行することで、本実施形態にて後述するフローチャートを実行する。
システムメモリ５２は、例えばＲＡＭが用いられる。システムメモリ５２には、システム制御部５０の動作用の定数、変数、不揮発性メモリ５６から読み出したプログラム等を展開する。また、システム制御部５０は、メモリ３２、Ｄ／Ａ変換器２５、表示部２８等を制御することにより表示制御も行う。
【００２１】
システムタイマー５３は、各種制御に用いる時間や、内蔵された時計の時間を計測する計時部である。
フラッシュ制御回路５４は、フラッシュ１９を制御し、フラッシュ１９のポップアップや発光タイミング、発光量の調整を行う。
【００２２】
モード切り替えスイッチ６０、シャッターボタン６１の操作によりオンされる第１シャッタースイッチ６２及び第２シャッタースイッチ６４、操作部７０は、システム制御部５０に各種の動作指示を入力する。
モード切り替えスイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。或いは、モード切り替えスイッチ６０で、静止画撮影モードに一旦切り替えた後に、静止画撮影モードに含まれるこれらのモードのいずれかに、他の操作部材を用いて切り替えるようにしてもよい。同様に、動画撮影モードにも複数のモードが含まれていてもよい。
【００２３】
第１シャッタースイッチ６２は、シャッターボタン６１の操作途中、いわゆる半押し（撮影準備指示）でオンとなり、第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。第２シャッタースイッチ６４は、シャッターボタン６１の操作完了、いわゆる全押し（撮影指示）でオンとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２４】
操作部７０は、ユーザからの操作を受け付ける各種操作部材である。操作部７０には、既述したメイン電子ダイヤル７１、サブ電子ダイヤル７３、十字キー７４、ＳＥＴボタン７５、ＬＶボタン７６、拡大ボタン７７、再生ボタン７８、ＭＥＮＵボタン７９が含まれる。また、操作部７０には、表示部２８と一体的に構成され、表示部２８に対する接触を検出可能なタッチパネルが含まれる。
【００２５】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部に供給する。電源部３０は、アルカリ電池やリチウム電池等の一次電池やＮｉＣｄ電池やＮｉＭＨ電池、Ｌｉ電池等の二次電池、ＡＣアダプター等からなる。
通信制御部８２は、アクセサリーユニットの機能を利用するために通信方法の確立や情報通信を行う。
記録媒体Ｉ/Ｆ１８は、記録媒体２００とのインターフェースである。記録媒体２００は、撮影された画像を記録するためのメモリカード等の記録媒体であり、半導体メモリや磁気ディスク等から構成される。
【００２６】
以上のようにしたカメラ１００は、ミラーダウンしたＯＶＦモード（光学ファインダモード）と、ミラーアップしてＬＶ表示を行うＬＶモード（ライブビューモード）とを切り替えることができる。
【００２７】
また、カメラ１００は、オートパワーオフ機能を有し、無操作時間が一定時間以上発生することにより、待機状態に遷移する。電源スイッチ７２の電源オフ操作による電源オフ状態では、電源スイッチ７２の電源オン操作で電源オン状態に復帰し、それ以外の操作では電源オン状態に復帰しない。それに対して、オートパワーオフによる待機状態では、電源スイッチ７２以外の一部の操作部材の操作を検出するようになっており、一部の操作部材の操作（以下、オートパワーオフ復帰操作と呼ぶ）で電源オン状態に復帰する。このようなオートパワーオフ機能により、電力消費を抑えることができる。
【００２８】
また、カメラ１００は、１回のレリーズで、自動的にピント位置を変えながら連続撮影を行うフォーカスブラケット（以下、「ＦＢＫ」と記す）撮影機能を有する。ＦＢＫ撮影機能は、表示部２８に表示されたスルー画を見ながら撮影を行うＬＶ撮影専用の撮影機能である。
【００２９】
以下、図３乃至図５を参照して、実施形態に係るカメラ１００の動作を説明する。
まず、図５を参照して、ＦＢＫ撮影の設定操作について説明する。図５（ａ）〜（ｅ）は、撮影設定画面の例を示す図である。
図５（ａ）に示すように、撮影設定画面には、撮影機能５０１が一覧表示される。十字キー７４を操作することでカーソル５０２を移動させ、ＳＥＴボタン７５を押すことで任意の撮影機能を選択し、その設定変更画面に遷移する。
図５（ａ）の撮影設定画面で「フォーカスブラケット撮影ＯＮ」５０１が選択されると、図５（ｂ）に示すように、ＦＢＫ撮影設定画面に遷移する。ＦＢＫ撮影設定画面では、機能タイトル５０３と、設定項目５０４〜５０６とが表示される。各設定項目５０４〜５０６には、それに対する設定内容が表示されている。
設定項目５０４は、ＦＢＫ撮影機能の使用の有無を示す設定項目である。その設定画面は図５（ｃ）に示す通りであり、ユーザは選択肢５０７の中から設定値を選択する。「する（オン）」設定の他に、「しない（オフ）」設定を選択可能である。
設定項目５０５は、ＦＢＫ撮影における撮影回数を示す設定項目である。その設定画面は図５（ｄ）に示す通りであり、ユーザは３桁の数字を変更することで撮影回数を設定する。初期値は１００となっており、ここでは、百の位にフォーカスが当たっていてこの数値を変更できる状態になっている。指標５０９、指標５１０が表示されており、十字キー７４を操作するか、各指標へのタッチ操作を行うことで数値を変更することができる。また、撮影回数の設定を確定させるためのＯＫボタン５１１、キャンセルするためのキャンセルボタン５１２が配置されている。
設定項目５０６は、ＦＢＫ撮影におけるフォーカスステップ幅を示す設定項目である。その設定画面例は図５（ｅ）に示す通りであり、ユーザは１〜９の１桁の数字を変更することでステップ幅を設定する。初期値は４となっている。指標５１３、指標５１４が表示されており、十字キー７４を操作するか、各指標へのタッチ操作を行うことで数値を変更することができる。また、ステップ幅の設定を確定させるためのＯＫボタン５１５、キャンセルするためのキャンセルボタン５１６が配置されている。
【００３０】
次に、実施形態に係るカメラ１００の動作を説明する。
図３は、カメラ１００の起動から電源オフまでの処理を示すフローチャートである。このフローチャートの処理は、システム制御部５０が、不揮発性メモリ５６に記憶されたプログラムを読み出し、システムメモリ５２に展開して実行することにより実現される。
ステップＳ３０１で、システム制御部５０は、電源スイッチ７２の電源オン操作の有無を判定する。電源オン操作がある場合はステップＳ３０２に進み、電源オン操作がない場合はステップＳ３０４に進む。
ステップＳ３０２で、システム制御部５０は、起動処理を行う。
ステップＳ３０３で、システム制御部５０は、ＦＢＫ撮影設定をオフにする。このように電源オン操作による電源オン時には、ミラーダウンした状態のままであり、ＯＶＦモードになる。
【００３１】
ステップＳ３０４で、システム制御部５０は、オートパワーオフ復帰操作の有無を判定する。オートパワーオフ復帰操作がある場合はステップＳ３０５に進み、オートパワーオフ復帰操作がない場合はステップＳ３０１に戻る。
ステップＳ３０５で、システム制御部５０は、起動処理を行う。
ステップＳ３０６で、システム制御部５０は、ＦＢＫ撮影設定がオンであるか否かを判定する。ＦＢＫ撮影設定がオンである場合はステップＳ３０７に進み、ＦＢＫ撮影設定がオンでない、すなわちオフである場合はステップＳ３０８に進む。
ステップＳ３０７で、システム制御部５０は、ミラーアップしてＬＶ表示を行うＬＶモードに遷移させる。具体的には、ミラーアップによって、ミラー１２を光路位置から退避位置に移動させ、被写体の光学像を撮像部２２に導く状態にして、これによりＯＶＦモードからＬＶモードに遷移する。このようにオートパワーオフ復帰時には、待機状態への遷移前のモードがＬＶモードであって、ＦＢＫ撮影を行う設定を行っていれば、ＬＶモードになり、それ以外では、ミラーダウンした状態のままであり、ＯＶＦモードになる。
【００３２】
ステップＳ３０８で、システム制御部５０は、システムタイマー５３に指示して、省電タイマーを設定する。省電タイマーは、オートパワーオフを発動する時間を表し、無操作時間が、省電タイマーとして設定された一定時間以上発生することにより、待機状態に遷移することになる。
ステップＳ３０９で、システム制御部５０は、起動中動作を実行する。起動中動作の詳細については後述する。
【００３３】
ステップＳ３１０で、システム制御部５０は、省電タイマーが満了したか否かを判定する。省電タイマーが満了していない場合はステップＳ３１１に進み、省電タイマーが満了した場合はステップＳ３１３に進む。
ステップＳ３１１で、システム制御部５０は、電源スイッチ７２の電源オフ操作の有無を判定する。電源オフ操作がある場合はステップＳ３１２に進み、電源オフ操作がない場合はステップＳ３０９に戻る。
ステップＳ３１２で、システム制御部５０は、ＦＢＫ撮影設定をクリアし、ＦＢＫ撮影設定をオフにする。なお、図３のフローチャートでは、電源オン操作による電源オン時のステップＳ３０３、及び電源オフ操作による電源オフ時のステップＳ３１２で、ＦＢＫ撮影を行う設定を解除する例としたが、そのいずれか一方だけを行うようにしてもよい。また、図５で述べたＦＢＫ撮影における撮影回数やステップ幅の設定値は、最新の設定値が維持されるようにしてもよいし、ＦＢＫ撮影設定をオフにする度にデフォルト値に戻るようにしてもよい。
【００３４】
ステップＳ３１３で、システム制御部５０は、ＬＶ表示中であるか否かを判定する。ＬＶ表示中である場合はステップＳ３１４に進み、ＬＶ表示中でない場合はステップＳ３１５に進む。
ステップＳ３１４で、システム制御部５０は、ミラーダウンを行うように制御する。ミラーダウンによって、ミラー１２を退避位置から光路位置に移動させ、すなわち光路中に進入させ、被写体の光学像を反射して撮像部２２ではなくファインダ１６に導く状態にして、これによりＬＶモードは終了し、ＯＶＦモードに遷移する。
【００３５】
ステップＳ３１５で、システム制御部５０は、ＦＢＫ撮影のオン及びオフ、撮影回数やステップ幅の設定値を不揮発性メモリ５６に記憶するように制御する。これにより、ＬＶモードでＦＢＫ撮影を行う設定にした状態で、オートパワーオフにより待機状態になるときは、ＦＢＫ撮影を行う設定を維持することになる。
ステップＳ３１６で、システム制御部５０は、電源オフ処理を行う。ここでいう電源オフ処理は、電源スイッチ７２の電源オフ操作により電源オフ状態にすること、及びオートパワーオフにより待機状態にすることの両方を含む。
【００３６】
次に、ステップＳ３０９の起動中動作を説明する。
図４は、起動中動作の詳細を説明するためのフローチャートである。
ステップＳ４０１で、システム制御部５０は、ユーザ操作の有無を判定する。ユーザ操作がある場合はステップＳ４０２に進み、ユーザ操作がない場合は本処理を抜ける。
ステップＳ４０２で、システム制御部５０は、ステップＳ４０１において検知したユーザ操作がＦＢＫ撮影の設定操作であるか否かを判定する。ＦＢＫ撮影の設定操作は、図５を参照して既述したとおりである。ＦＢＫ撮影の設定操作である場合はステップＳ４０３に進み、ＦＢＫ撮影の設定操作でない場合はステップＳ４０４に進む。
ステップＳ４０３で、システム制御部５０は、ＦＢＫ撮影の設定操作に応じた設定変更の処理を実行する。
【００３７】
ステップＳ４０４で、システム制御部５０は、ステップＳ４０１において検知したユーザ操作が撮影操作であるか否かを判定する。撮影操作である場合はステップＳ４０５に進み、撮影操作でない場合はステップＳ４０８に進む。
ステップＳ４０５で、システム制御部５０は、ＦＢＫ撮影がオンであるか否かを判定する。図５に示すようにＦＢＫ撮影機能の使用の有無を示す設定項目５０４を参照することにより、ＦＢＫ撮影がオンであるか否かを判定する。また、ＯＶＦモードであれば、ＦＢＫ撮影はオンでないと判定する。ＦＢＫ撮影がオンである場合はステップＳ４０６に進み、ＦＢＫ撮影がオンでない、すなわちオフである場合はステップＳ４０７に進む。
ステップＳ４０６で、システム制御部５０は、ＦＢＫ撮影の設定に従ってＦＢＫ撮影を実行するように制御する。一方、ステップＳ４０７で、システム制御部５０は、非ＦＢＫ撮影を実行するように制御する。
【００３８】
ステップＳ４０８で、システム制御部５０は、ステップＳ４０１において検知したユーザ操作がＯＶＦモード／ＬＶモード切替操作であるか否かを判定する。ＯＶＦモード／ＬＶモード切替操作である場合はステップＳ４０９に進み、ＯＶＦモード／ＬＶモード切替操作でない場合はステップＳ４１２に進む。
ステップＳ４０９で、システム制御部５０は、ＯＶＦモードへの切り替えであるか否かを判定する。ＯＶＦモードへの切り替えである場合はステップＳ４１０に進み、ＯＶＦモードへの切り替えでない、すなわちＬＶモードへの切り替えである場合はステップＳ４１１に進む。
ステップＳ４１０で、システム制御部５０は、ミラーダウンを行うように制御する。ミラーダウンによって、ミラー１２を退避位置から光路位置に移動させ、すなわち光路中に進入させ、被写体の光学像を反射して撮像部２２ではなくファインダ１６に導く状態にして、これによりＬＶモードは終了し、ＯＶＦモードに遷移する。一方、ステップＳ４１１で、システム制御部５０は、ミラーアップしてＬＶ表示を行うＬＶモードに遷移させる。具体的には、ミラーアップによって、ミラー１２を光路位置から退避位置に移動させ、被写体の光学像を撮像部２２に導く状態にして、これによりＯＶＦモードからＬＶモードに遷移する。
【００３９】
ステップＳ４１２で、システム制御部５０は、システムタイマー５３に指示して、省電タイマーを再設定する。
【００４０】
以上のように、ＬＶモードで特定の撮影を行う設定にした状態（以下、特定状態と呼ぶ）で、電源スイッチ７２の電源オフ操作により電源オフ状態になる場合、その後に電源スイッチ７２の電源オン操作で電源オン状態になるときに、ＯＶＦモードになる。それに対して、特定状態で、オートパワーオフにより待機状態になる場合、その後にオートパワーオフ復帰操作により電源オン状態になるときに、ＬＶモードになる。
電源スイッチ７２の電源オフ操作により電源オフ状態になる状況は、ユーザの明示的な意思によるものである。この場合、ここまで行っていたＦＢＫ撮影を止めたといえるので、その後に電源オン状態になるときにはＯＶＦモードになるのが、ユーザの意図に合っているといえる。
それに対して、オートパワーオフにより待機状態になる状況は、必ずしもユーザの明示的に意思によるものではない。この場合、ここまで行っていたＦＢＫ撮影を止めようとしているとは限らない。例えば特定状態で、カメラ１００を三脚に設置しようとしたときに、その作業に時間がかかってしまい、オートパワーオフにより待機状態になるような状況もありえる。このときは、ＬＶモードが解除されるのではなく、その後に電源オン状態になるときにはＬＶモードになるのが、ユーザの意図に合っているといえる。
このように電源スイッチ７２の電源オフ操作により電源オフ状態になる場合と、オートパワーオフにより待機状態になる場合とで、その後に電源オン状態になるときに、ユーザの意図に合ったモードにすることができる。
【００４１】
本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
上述した実施形態においては、システム制御部５０が制御を行うものとして説明したが、１つのハードウェアが制御を行うようにしてもよいし、複数のハードウェア（例えば複数のプロセッサや回路）が処理を分担することで制御を行うようにしてもよい。
上述した実施形態においては、本発明をデジタル一眼レフカメラに適用した例を説明したが、これに限られるものではなく、ＯＶＦモードとＬＶモードとを切り替える撮像装置であれば適用可能である。
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００４２】
２８：表示部、５０：システム制御部、５２：システムメモリ、５６：不揮発性メモリ、７２：電源スイッチ、１００：デジタルカメラ
【図１】
2020182192.tif 000003
【図２】
2020182192.tif 000004
【図３】
2020182192.tif 000005
【図４】
2020182192.tif 000006
【図５】
2020182192.tif 000007